(57)【要約】【課題】使用した際の感触や使い勝手が良いまつげカーラーを提供する。【解決手段】まつげをプレスヘッド２とゴム弾性パッド３とで挟んでまつげにカールを付与するまつげカーラーにおいて、上記プレスヘッド２を一対の指掛レバー４，５の一方に連設した二股状支持部材４ａ，４ｂの先端に設け、ゴム弾性パッド３を上記他方の指掛レバー５に回動自在に連結したスライダー部材８の先端に保持させる。上記スライダー部材８は、その中央に覗き孔８ａを有し瞼や頬骨付近の皮膚に対面する側をなだらかな曲面８ｃとした合成樹脂製プレートで構成する。【選択図】　　　　図１
2004089582.tif 000002
【特許請求の範囲】
【請求項１】
まつげを第１の型付け部と第２の型付け部とで挟んでまつげにカールを付与するまつげカーラーにおいて、
上記第１の型付け部が、回動自在に軸支され鋏状に開閉する一対の指掛レバーの一方に連設された二股状支持部材の先端間に設けられているプレスヘッドで構成され、
上記第２の型付け部が、上記一対の指掛レバーの他方に回動自在に連結され上記二股状支持部材に沿って摺動するスライダー部材の先端に固定され上記プレスヘッドに接離するゴム弾性パッドで構成され、
上記スライダー部材を、その中央に覗き孔を設けると共に、プレスヘッドに対向する側にゴム弾性パッドを保持する溝を設け、且つ瞼や頬骨付近の皮膚に対面する側をなだらかな曲面に形成した合成樹脂製プレートで構成している、
ことを特徴とするまつげカーラー。
【請求項２】
上記合成樹脂製プレートに、二股状支持部材に形成したガイドに沿って摺動する摺動部を一体に形成した、
ことを特徴とする請求項１に記載のまつげカーラー。
【請求項３】
上記合成樹脂製プレートを透明材により形成した、
ことを特徴とする請求項１または２に記載のまつげカーラー。
【発明の詳細な説明】
【０００１】
【発明の属する技術分野】
本発明は、まつげにカールを付与するまつげカーラーに関するものである。
【０００２】
【従来の技術】
まつげを第１の型付け部と第２の型付け部とで接離自在に挟み、まつげにカールを付与するまつげカーラーは従来公知である。
この従来公知のまつげカーラーは、図５に示すように、軸５３により回動自在に軸支された鋏状に開閉する一対の金属製の指掛レバー５１，５２を備え、その一方の指掛レバー５１における軸５３から先端側には二股状に延出した平行な二股状支持杆５４，５４を連設し、他方の指掛レバー５２には軸５３から若干の長さ延び出した延設部５５を設け、該延設部５５の先端に上記二股状支持杆５４，５４に沿う方向に摺動する左右一対の金属製のリンク杆５６，５６を回動自在に連結し、上記二股状支持杆５４，５４の先端に、瞼に沿う円弧状に湾曲した第１の型付け部を構成するプレスヘッド５７を架け渡すように固着すると共に、上記一対のリンク杆５６，５６の先端に、同様に円弧状に湾曲した第２の型付け部を構成するゴム弾性パッド５９を保持するためのパッド受け５８を固定し、このパッド受け５８を二股状支持杆５４，５４にガイドさせている。
【０００３】
上記まつげカーラーは、一対の指掛レバー５１，５２を操作して、上記ゴム弾性パッド５９とプレスヘッド５７を相対的に押しつけ、該ゴム弾性パッド５９とプレスヘッド５７との間にまつげを挟み、圧力を加えてまつげにカールを付与するようにしたもので、その際、上記プレスヘッド５７とゴム弾性パッド５９との間や上記一対のリンク杆５６，５６の間から鏡に映ったまつげやまつげカーラーを覗きながら、一対の指掛レバー５１，５２が操作される。
【０００４】
しかるに、上記公知のまつげカーラーでは、一対のリンク杆５６，５６の下方部分を回動自在に連結する金属製の指掛レバー５２の延設部５５の先端が、目に近い位置で頬骨付近に向かって突出しているため、それが目に接触する危険性があるばかりでなく、その先端が操作時に瞼や頬骨付近の皮膚に当たったときの感触が悪く、また、まつげカーラーを操作するときに上記延設部５５の先端が頬骨付近の皮膚を部分的に押しながら回動することもあり、不快感を感じる旨の不満があった。
【０００５】
【発明が解決しようとする課題】
本発明の課題は、このような問題を解決し、使用する際の安全性や感触、使い勝手が良いまつげカーラーを提供することにある。
本発明の他の技術的課題は、上記問題を解決したまつげカーラーを安価に提供することにある。
【０００６】
【課題を解決するための手段】
上記課題を解決するため、本発明は、まつげを第１の型付け部と第２の型付け部とで挟んでまつげにカールを付与するまつげカーラーにおいて、上記第１の型付け部が、回動自在に軸支され鋏状に開閉する一対の指掛レバーの一方に連設された二股状支持部材の先端間に設けられているプレスヘッドで構成され、上記第２の型付け部が、上記一対の指掛レバーの他方に回動自在に連結され上記二股状支持部材に沿って摺動するスライダー部材の先端に固定され上記プレスヘッドに接離するゴム弾性パッドで構成され、上記スライダー部材が、その中央に覗き孔を設けると共に、プレスヘッドに対向する側にゴム弾性パッドを保持する溝を設け、且つ瞼や頬骨付近の皮膚に対面する側をなだらかな曲面に形成した合成樹脂製プレートで構成されていることを特徴とするものである。
上記まつげカーラーは、上記合成樹脂製プレートに、二股状支持部材に形成したガイドに沿って摺動する摺動部を一体に形成し、あるいは、上記合成樹脂製プレートを透明材により形成することができる。
【０００７】
上記構成を有するまつげカーラーは、上記スライダー部材を、その中央に覗き孔を設けると共に、瞼や頬骨付近の皮膚に対面する側をなだらかな曲面に形成した合成樹脂製プレートにより構成しているので、従来例のように、金属製の指掛レバーの延設部の先端が目に近い位置で頬骨付近に向かって突出することなく、当該部分がなだらかな曲面を有するスライダー部材になるため、目に対する危険性がないばかりでなく、まつげカーラーを操作するときに金属製の延設部が頬骨付近の皮膚を部分的に押しながら回動したりすることがなく、スライダー部材が瞼や頬骨付近の皮膚に接触したときの感触も従来例に比して著しくすぐれ、使い勝手が良いばかりでなく不快感を感じることもない。
【０００８】
また、上記スライダー部材は、その中央の覗き孔、ゴム弾性パッドを保持するための溝、瞼や頬骨付近の皮膚に対面するなだらかな曲面のほか、必要に応じて二股状支持部材に形成したガイドに沿って摺動する摺動部を一体にした合成樹脂製プレートとしているので、その構成が簡単化され、従来例の問題点を解決したまつげカーラーを簡単で安価なものとして提供することができる。
しかも、上記合成樹脂製プレートを透明材で形成すると、それが、瞼や頬骨付近の皮膚に対面するなだらかな曲面を持った比較的大きな部材でありながら、目の直前でのカール操作時に暗さや圧迫感を感じることもない。
【０００９】
【発明の実施の形態】
図１〜図３は本発明に係るまつげカーラーの一実施例を示している。このまつげカーラー１は、軸６により回動自在に軸支され鋏状に開閉する一対の金属製の指掛レバー４，５と、該一対の指掛レバー４，５の一方及び他方にそれぞれ設けられた第１の型付け部を構成するプレスヘッド２、及び第２の型付け部を構成するゴム弾性パッド３とを有している。
【００１０】
更に詳述すると、上記一対の指掛レバー４，５は、上記軸６から下方の操作側の部分は、指が挿入されるフィンガーホール４ｄ，５ｄを有する板状部材４ｃ，５ｃで形成されている。
上記指掛レバー４は、図１に示すように、上記軸６の先端側において左右対称形の二股状支持部材４ａ，４ｂが連設されており、該支持部材４ａ，４ｂは上記軸６の付近で二股に分かれて左右に延び、その左右間が所定の距離に広がった箇所からは平行に延び、その平行部分の先端に上記第１の型付け部を構成するところの、瞼に沿って湾曲した板状の金属製プレスヘッド２が、両支持部材の先端間に架け渡されるようにして設けられている。このプレスヘッド２は、図３に示すように、瞼に沿うように湾曲した当接面２ａの両端が、該当接面２ａの凹面とは反対側（瞼から離れる方向）に折り曲げられて上記二股状支持部材４ａ，４ｂと一体的に構成されている。
【００１１】
また、上記二股状支持部材４ａ，４ｂは、その平行に延びた部分に長手方向に沿って一対の対向するＵ字溝状のガイド１４ａ，１４ｂ（図３参照）を有しており、そのガイド１４ａ，１４ｂには後述するスライダー部材８の左右の端部に設けた摺動部８ｄがそれぞれ摺動自在に挿入されている。
上記二股状支持部材４ａ，４ｂのプレスヘッド２と一体の先端部及び上記溝状のガイド１４ａ，１４ｂは、板材の折曲加工により形成され、上記指掛レバー４のフィンガーホール４ｄを設けた操作部分は、上記二股状支持部材４ａ，４ｂと連なる同一形状の２つの板状部材４ｃ，４ｃで構成され、該板状部材４ｃ，４ｃは上記軸６の付近で他方の指掛レバー５を両側から挟み、軸６を介して該指掛レバー５と回動自在に連結すると共に、上記フィンガーホール４ｄの周囲付近で一体的に結合されている。
【００１２】
上記指掛レバー５は、上記軸６から若干の長さ延び出した延設部５ａと上記軸６から下方の操作部分に上記フィンガーホール５ｄを有する１枚の金属製板材で構成され、該延設部５ａの先端には上記第２の型付け部を構成するゴム弾性パッド３を保持するためのスライダー部材８の軸支部８ｅが、軸１１を介して回動自在に連結されている。
上記スライダー部材８は、図１に示すように、その先端に上記湾曲したプレスヘッド２と対向するように瞼に沿って湾曲したゴム弾性パッド３を保持し、スライダー部材８を上記二股状支持部材４ａ，４ｂに沿って摺動させることにより、上記ゴム弾性パッド３を上記プレスヘッド２に接離する方向に移動できるようにしている。
【００１３】
具体的には、上記スライダー部材８は、図４の（イ）〜（ニ）に示すように、その中央に覗き孔８ａを設けると共に、その上辺のプレスヘッド２に対向する側にゴム弾性パッド３を保持する溝８ｂを設け、且つ瞼や頬骨付近の皮膚に対面する側をなだらかな曲面８ｃとした合成樹脂製プレートで構成している。また、そのプレートの側辺には、二股状支持部材４ａ，４ｂの溝状のガイド１４ａ，１４ｂに挿入されて摺動する摺動部８ｄ，８ｄが形成されている。
このスライダー部材８を構成する合成樹脂製プレートは、透明材で形成するのが望ましく、それにより、瞼や頬骨付近の皮膚に対面するなだらかな曲面を持った比較的大きな部材でありながら、目の直前でのまつげのカール操作時に、暗さや圧迫感を感じることもない。
また、上記プレスヘッド２は、図１に示すように、上記ゴム弾性パッド３と対向する側にヘッドエッジ２ｂを延出しており、上記ゴム弾性パッド３も上記ヘッドエッジ２ｂと略等しい湾曲と長さを有している。
【００１４】
上記構成を有するまつげカーラー１は、上記プレスヘッド２と上記スライダー部材８との間や上記覗き孔８ａから、鏡に映ったまつげやまつげカーラーを覗きながら、上記一対の指掛レバー４，５を操作し、まつげをプレスヘッド２と該プレスヘッド２に接離する上記スライダー部材８の先端のゴム弾性パッド３とで挟み圧力を加えてまつげをカールさせるものである。
【００１５】
上記まつげカーラーは、上記スライダー部材８が合成樹脂製プレートで形成され、その瞼や頬骨付近の皮膚に対面する側がなだらかな曲面に形成されているため、それが瞼や頬骨付近の皮膚に当たっても悪い感触を受けることがなく、金属製の延設部が頬骨付近の皮膚に接触する従来のものとは違って不快感がない。
【００１６】
【発明の効果】
以上に詳述した本発明によれば、使用する際の安全性や感触、使い勝手が良いまつげカーラーを安価に提供することができる。
【図面の簡単な説明】
【図１】本発明に係るまつげカーラーの一実施例を示す正面図である。
【図２】同側面図である。
【図３】同まつげカーラーをプレスヘッド側から見た拡大平面図である。
【図４】（イ）〜（ハ）は、本発明に係るまつげカーラーに用いられるスライダー部材の一実施例を示す正面図、側面図、平面図であり、（ニ）は（イ）におけるＡ−Ａ線での断面図である。
【図５】従来公知のまつげカーラーの斜視図である。
【符号の説明】
１　　　　　まつげカーラー
２　　　　　プレスヘッド
３　　　　　ゴム弾性パッド
４，５　　　指掛レバー
４ａ，４ｂ　二股状支持部材
８　　　　　スライダー部材
８ａ　　　　覗き孔
８ｂ　　　　溝
８ｃ　　　　曲面
８ｄ，８ｄ　摺動部
１４ａ，１４ｂ　ガイド
【図１】
2004089582.tif 000003
【図２】
2004089582.tif 000004
【図３】
2004089582.tif 000005
【図４】
2004089582.tif 000006
【図５】
2004089582.tif 000007